(57)【特許請求の範囲】
【請求項１】
表示情報保持部に保持されている情報を表示部に表示させ、前記表示部による表示を制御する表示制御装置であって、
前記表示情報保持部に保持されている第１地図を示す第１地図レイヤに、前記表示情報保持部に保持されている前記第１地図内の位置に関連付けられた第１情報を示す第１情報レイヤを重畳して、前記表示部の第１表示領域に表示させ、前記表示情報保持部に保持されている第２地図を示す第２地図レイヤを前記表示部の第２表示領域に表示させる表示領域制御部と、
前記表示情報保持部に保持されている前記第１情報レイヤに関連付けられた第１アイコンを前記表示部のアイコン表示領域に表示させるアイコン表示制御部と
を備え、
前記表示領域制御部は、ユーザインターフェースを介して、前記第１アイコンを前記アイコン表示領域から前記第２表示領域にドラッグアンドドロップする指示を受け付けたことに対応して、前記第２地図レイヤに前記第１情報レイヤを重畳して前記第２表示領域に表示させる、表示制御装置。
【請求項２】
前記表示情報保持部及び前記表示部をさらに備える、請求項１に記載の表示制御装置。
【請求項３】
前記第１表示領域に表示されている前記第１情報レイヤの表示態様を変更する表示態様変更部をさらに備え、
前記表示領域制御部は、前記ユーザインターフェースを介して、前記第１アイコンを前記アイコン表示領域から前記第２表示領域にドラッグアンドドロップする指示を受け付けた場合、前記第１表示領域に表示されている前記第１情報レイヤの表示態様を維持したまま、前記第２地図レイヤに前記第１情報レイヤを重畳して前記第２表示領域に表示させる、請求項１または２に記載の表示制御装置。
【請求項４】
前記表示領域制御部は、前記第１地図レイヤおよび前記第１情報レイヤに、前記表示情報保持部に保持されている前記第１地図内の位置に関連付けられた第２情報を示す第２情報レイヤを重畳して前記第１表示領域に表示させ、
前記アイコン表示制御部は、前記第１表示領域における前記第１情報レイヤと前記第２情報レイヤとの重畳順序に対応させて、前記第１アイコンと前記第２情報レイヤに関連付けられた第２アイコンとを並べて前記アイコン表示領域に表示させ、
前記表示領域制御部は、前記アイコン表示領域内で前記第１アイコンと前記第２アイコンとの表示位置が入れ替えられたことに対応して、前記第１情報レイヤと前記第２情報レイヤとの重畳順序を入れ替えて、前記第１情報レイヤおよび前記第２情報レイヤを前記第１表示領域に表示させる、請求項１から３のいずれか１つに記載の表示制御装置。
【請求項５】
前記第１表示領域に表示されている前記第１地図の指定領域の変更を受け付ける変更受付部をさらに備え、
前記表示領域制御部は、前記変更受付部が前記第１表示領域に表示されている前記第１地図の前記指定領域を第１指定領域から第２指定領域に変更を受け付けたことに対応して、前記第１地図の前記第２指定領域を示す前記第１地図レイヤを前記第１表示領域に表示させ、前記第２地図の前記第２指定領域を示す前記第２地図レイヤを前記第２表示領域に表示させる、請求項１から４のいずれか１つに記載の表示制御装置。
【請求項６】
前記変更受付部は、前記第２表示領域に表示されている前記第２地図の指定領域の変更を受け付け、
前記表示領域制御部は、前記変更受付部が前記第２表示領域に表示されている前記第２地図の前記指定領域を前記第２指定領域から第３指定領域に変更を受け付けたことに対応して、前記第２地図の前記第３指定領域を示す前記第２地図レイヤを前記第２表示領域に表示させ、前記第１地図の前記第２指定領域を示す前記第１地図レイヤの前記第１表示領域への表示を維持させる、請求項５に記載の表示制御装置。
【請求項７】
予め定められた条件を満たす地点に関する地点情報を含む前記第１情報を示す前記第１情報レイヤを生成する情報レイヤ生成部をさらに備え、
前記情報レイヤ生成部は、前記第１地図の複数の分割領域毎に前記地点情報を集計することにより、前記第１情報レイヤを生成する、請求項１から６のいずれか１つに記載の表示制御装置。
【請求項８】
前記複数の分割領域の大きさを指定する分割領域指定部をさらに備え、
前記情報レイヤ生成部は、前記分割領域指定部により指定された大きさの分割領域毎に前記地点情報を集計する、請求項７に記載の表示制御装置。
【請求項９】
前記第１表示領域および前記第２表示領域を表示可能な表示可能領域の全体に前記第１表示領域を表示させる指示を受け付ける全体表示指示受付部をさらに備え、
前記表示領域制御部は、前記全体表示指示受付部が前記表示可能領域の全体に前記第１表示領域を表示させる指示を受け付けたことに対応して、前記表示可能領域の全体に前記第１表示領域を表示させ、前記第２表示領域を前記第１表示領域の上層に表示させる、請求項１から８のいずれか１つに記載の表示制御装置。
【請求項１０】
前記第１地図の選択領域を受け付ける選択領域受付部と、
予め定められた条件を満たす地点に関する地点情報を含む前記第１情報に基づいて、前記選択領域内の前記地点情報を抽出する地点抽出部と、
前記地点抽出部が抽出した前記地点情報のリストを生成するリスト生成部と
をさらに備え、
前記表示領域制御部は、前記リストを第３表示領域に表示させる請求項１から９のいずれか１つに記載の表示制御装置。
【請求項１１】
表示情報保持部に保持されている情報を表示部に表示させ、前記表示部による表示を制御するコンピュータに、
前記表示情報保持部に保持されている第１地図を示す第１地図レイヤに、前記表示情報保持部に保持されている前記第１地図内の位置に関連付けられた第１情報を示す第１情報レイヤを重畳して、表示部の第１表示領域に表示させ、前記表示情報保持部に保持されている第２地図を示す第２地図レイヤを前記表示部の第２表示領域に表示させる手順、
前記表示情報保持部に保持されている前記第１情報レイヤに関連付けられた第１アイコンを前記表示部のアイコン表示領域に表示させる手順、及び
ユーザインターフェースを介して、前記第１アイコンを前記アイコン表示領域から前記第２表示領域にドラッグアンドドロップする指示を受け付けたことに対応して、前記第２地図レイヤに前記第１情報レイヤを重畳して前記第２表示領域に表示させる手順
を実行させるためのプログラム。
【発明の詳細な説明】
【技術分野】
【０００１】
本発明は、表示制御装置およびプログラムに関する。
【背景技術】
【０００２】
特許文献１には、現在位置情報に対応する地図上の位置に、基地局からの電波の受信レベルを重畳させて表示する携帯端末が開示されている。
特許文献１  国際公開第２００６／００１１４０号
【発明の概要】
【発明が解決しようとする課題】
【０００３】
地図上に、当該地図上の位置に関する情報を重畳させて表示する場合に、ユーザの操作性をさらに向上させることが望まれている。
【課題を解決するための手段】
【０００４】
本発明に係る表示制御装置は、第１地図を示す第１地図レイヤに、第１地図内の位置に関連付けられた第１情報を示す第１情報レイヤを重畳して第１表示領域に表示させ、第２地図を示す第２地図レイヤを第２表示領域に表示させる表示領域制御部と、第１情報レイヤに関連付けられた第１アイコンをアイコン表示領域に表示させるアイコン表示制御部とを備え、表示領域制御部は、第１アイコンがアイコン表示領域から第２表示領域にドラッグアンドドロップされたことに対応して、第２地図レイヤに第１情報レイヤを重畳して第２表示領域に表示させる。
【０００５】
上記表示制御装置は、第１表示領域に表示されている第１情報レイヤの表示態様を変更する表示態様変更部をさらに備え、表示領域制御部は、第１アイコンがアイコン表示領域から第２表示領域にドラッグアンドドロップされた場合、第１表示領域に表示されている第１情報レイヤの表示態様を維持したまま、第２地図レイヤに第１情報レイヤを重畳して第２表示領域に表示させてもよい。
【０００６】
上記表示制御装置において、表示領域制御部は、第１地図レイヤおよび第１情報レイヤに、第１地図内の位置に関連付けられた第２情報を示す第２情報レイヤを重畳して第１表示領域に表示させ、アイコン表示制御部は、第１表示領域における第１情報レイヤと第２情報レイヤとの重畳順序に対応させて、第１アイコンと第２情報レイヤに関連付けられた第２アイコンとを並べてアイコン表示領域に表示させ、表示領域制御部は、アイコン表示領域内で第１アイコンと第２アイコンとの表示位置が入れ替えられたことに対応して、第１情報レイヤと第２情報レイヤとの重畳順序を入れ替えて、第１情報レイヤおよび第２情報レイヤを第１表示領域に表示させてもよい。
【０００７】
上記表示制御装置は、第１表示領域に表示されている第１地図の指定領域の変更を受け付ける変更受付部をさらに備え、表示領域制御部は、変更受付部が第１表示領域に表示されている第１地図の指定領域を第１指定領域から第２指定領域に変更を受け付けたことに対応して、第１地図の第２指定領域を示す第１地図レイヤを第１表示領域に表示させ、第２地図の第２指定領域を示す第２地図レイヤを第２表示領域に表示させてもよい。
【０００８】
上記表示制御装置において、変更受付部は、第２表示領域に表示されている第２地図の指定領域の変更を受け付け、表示領域制御部は、変更受付部が第２表示領域に表示されている第２地図の指定領域を第２指定領域から第３指定領域に変更を受け付けたことに対応して、第２地図の第３指定領域を示す第２地図レイヤを第２表示領域に表示させ、第１地図の第２指定領域を示す第１地図レイヤの第１表示領域への表示を維持させてもよい。
【０００９】
上記表示制御装置は、予め定められた条件を満たす地点に関する地点情報を含む第１情報を示す第１情報レイヤを生成する情報レイヤ生成部をさらに備え、情報レイヤ生成部は、第１地図の複数の分割領域毎に地点情報を集計することにより、第１情報レイヤを生成してもよい。
【００１０】
上記表示制御装置は、複数の分割領域の大きさを指定する分割領域指定部をさらに備え、情報レイヤ生成部は、分割領域指定部により指定された大きさの分割領域毎に地点情報を集計してもよい。
【００１１】
上記表示制御装置は、第１表示領域および第２表示領域を表示可能な表示可能領域の全体に第１表示領域を表示させる指示を受け付ける全体表示指示受付部をさらに備え、表示領域制御部は、全体表示指示受付部が表示可能領域の全体に第１表示領域を表示させる指示を受け付けたことに対応して、表示可能領域の全体に第１表示領域を表示させ、第２表示領域を第１表示領域の上層に表示させてもよい。
【００１２】
上記表示制御装置は、第１地図の選択領域を受け付ける選択領域受付部と、予め定められた条件を満たす地点に関する地点情報を含む第１情報に基づいて、選択領域内の地点情報を抽出する地点抽出部と、地点抽出部が抽出した地点情報のリストを生成するリスト生成部とをさらに備え、表示領域制御部は、リストを第３表示領域に表示させてもよい。
【００１３】
なお、上記の発明の概要は、本発明の必要な特徴の全てを列挙したものではない。また、これらの特徴群のサブコンビネーションもまた、発明となりうる。
【図面の簡単な説明】
【００１４】
【図１】本実施形態に係る表示制御装置の機能ブロックを示す図である。
【図２】表示部に表示される画像の一例を示す図である。
【図３】表示部に表示される画像の一例を示す図である。
【図４】表示部に表示される画像の一例を示す図である。
【図５】表示部に表示される画像の一例を示す図である。
【図６】表示部に表示される画像の一例を示す図である。
【図７】表示部に表示される画像の一例を示す図である。
【図８】表示部に表示される画像の一例を示す図である。
【図９】表示部に表示される画像の一例を示す図である。
【図１０】表示部に表示される画像の一例を示す図である。
【図１１】表示部に表示される画像の一例を示す図である。
【発明を実施するための形態】
【００１５】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１６】
図１は、本実施形態に係る表示制御装置１００の機能ブロックを示す。表示制御装置１００は、表示部１０２、表示情報保持部１０４、表示領域制御部１１０、アイコン表示制御部１１２、および表示態様変更部１２０を備える。表示制御装置１００は、地図上に基地局の設置場所、電波状況情報、ユーザ提供情報などを重ねて表示部１０２に表示させる。電波状況情報は、予め定められた領域毎の電波強度を示す情報である。ユーザ提供情報は、ユーザから寄せられたそれぞれの地点における電波のつながりやすさを示す情報である。例えば、作業者は、表示部１０２に表示された情報に基づいて、電波がつながりにくいとユーザが感じている地点の電波状況および建物の設置状況を事前に把握できる。これにより、作業者は、現地に出向く前に、該当地点の電波状況および建物の設置状況を考慮して、電波状況を改善する対策を考えることができる。
【００１７】
表示情報保持部１０４は、表示部１０２に表示される地図情報、地図情報に関連する関連情報を保持する。関連情報は、地図に重畳して表示させる情報であり、それぞれの地点における地形情報、電波状況情報、ユーザ提供情報、建物の設置状況情報などを含む。表示領域制御部１１０は、第１地図を示す第１地図レイヤに、第１地図内の位置に関連付けられた第１情報を示す第１情報レイヤを重畳して表示部１０２の第１表示領域に表示させる。さらに、表示領域制御部１１０は、第２地図を示す第２地図レイヤを第２表示領域に表示させる。表示領域制御部１１０は、第１地図レイヤおよび第１情報レイヤに、第１地図内の位置に関連付けられた第２情報を示す第２情報レイヤを重畳して第１表示領域に表示させてもよい。
【００１８】
例えば、表示領域制御部１１０は、作業者が指定した地点を含む住宅地図または道路地図を示す第１地図レイヤに、電波状況情報を示す第１情報レイヤおよびユーザ提供情報を示す第２情報レイヤを重畳して第１表示領域である第１ウィンドウに表示する。さらに、表示領域制御部１１０は、第１地図である住宅地図または道路地図と同一の地点を含む衛星地図を示す第２地図レイヤを、第２表示領域である第２ウィンドウに表示する。表示領域制御部１１０は、第１ウィンドウおよび第２ウィンドウを並べて表示部１０２に表示してもよい。このように電波状況などが重畳された住宅地図または道路地図に並べて衛星地図を表示することで、作業者は、衛星地図を参考にして、例えば電波状況をより改善すべき地点の実際の建物の状況を容易に把握することができる。
【００１９】
アイコン表示制御部１１２は、第１情報レイヤに関連付けられた第１アイコンをアイコン表示領域に表示させる。アイコン表示制御部１１２は、第１表示領域における第１情報レイヤと第２情報レイヤとの重畳順序に対応させて、第１アイコンと第２情報レイヤに関連付けられた第２アイコンとを並べてアイコン表示領域に表示させてもよい。
【００２０】
表示態様変更部１２０は、第１表示領域または第２表示領域に表示されている情報レイヤの表示態様を変更する。表示態様変更部１２０は、ユーザの指示に対応して、情報レイヤとして表示すべき情報の表示態様を変更する。
【００２１】
表示制御装置１００は、変更受付部１２２をさらに備えてもよい。変更受付部１２２は、第１表示領域に表示されている第１地図の指定領域の変更を受け付ける。表示領域制御部１１０は、変更受付部１２２が第１表示領域に表示されている第１地図の指定領域を第１指定領域から第２指定領域に変更を受け付けたことに対応して、第１地図の第２指定領域を示す第１地図レイヤを第１表示領域に表示させ、第２地図の第２指定領域を示す第２地図レイヤを第２表示領域に表示させてもよい。表示領域制御部１１０は、ユーザにより第１表示領域に表示させる第１地図の指定領域が変更された場合に、第１地図の指定領域の変更に連動させて、第２地図の指定領域も第１地図の指定領域と同じ指定領域に変更して第２表示領域に表示させてもよい。これにより、第１地図と第２地図の指定領域を連動させて変更できるので、作業者は、第１地図の指定領域を変更するごとに、改めて第２地図の指定領域を変更する作業を省くことができる。
【００２２】
変更受付部１２２は、第２表示領域に表示されている第２地図の指定領域の変更も受け付ける。そして、表示領域制御部１１０は、変更受付部１２２が第２表示領域に表示されている第２地図の指定領域を第２指定領域から第３指定領域に変更を受け付けたことに対応して、第２地図の第３指定領域を示す第２地図レイヤを第２表示領域に表示させ、第１地図の第２指定領域を示す第１地図レイヤの第１表示領域への表示を維持させてもよい。つまり、第２地図の指定領域が変更されても、第１地図の指定領域は変更されてなくてもよい。これにより、一方の地図の指定領域を変更しても、他方の地図の指定領域を変更したくないという作業者の要望にも応えることができる。
【００２３】
また、表示制御装置１００は、情報レイヤ生成部１２４および分割領域指定部１２６をさらに備えてもよい。情報レイヤ生成部１２４は、予め定められた条件を満たす地点に関する地点情報を含む第１情報を示す第１情報レイヤを生成する。情報レイヤ生成部１２４は、第１地図の複数の分割領域毎に地点情報を集計することにより、第１情報レイヤを生成する。分割領域指定部１２６は、第１地図の複数の分割領域の大きさを指定する。情報レイヤ生成部１２４は、分割領域指定部１２６により指定された大きさの分割領域毎に地点情報を集計する。
【００２４】
表示制御装置１００は、全体表示指示受付部１２８をさらに備えてもよい。全体表示指示受付部１２８は、第１表示領域および第２表示領域を表示可能な表示可能領域の全体に第１表示領域を表示させる指示を受け付ける。表示領域制御部１１０は、全体表示指示受付部１２８が表示可能領域の全体に第１表示領域を表示させる指示を受け付けたことに対応して、表示可能領域の全体に第１表示領域を表示させ、第２表示領域を第１表示領域の上層に表示させる。これにより、第１表示領域を表示可能領域の全体に表示させた場合に、第２表示領域が見えなくなることを防止できる。
【００２５】
表示制御装置１００は、選択領域受付部１３０、地点抽出部１３２、およびリスト生成部１３４をさらに備えてもよい。選択領域受付部１３０は、第１地図の選択領域を受け付ける。地点抽出部１３２は、予め定められた条件を満たす地点に関する地点情報を含む第１情報に基づいて、選択領域内の地点情報を抽出する。リスト生成部１３４は、地点抽出部１３２が抽出した地点情報のリストを生成する。そして、表示領域制御部１１０は、リストを第３表示領域に表示させる。これにより、作業者は、例えば、第１地図の選択領域に含まれる基地局の情報をリスト表示して確認することができる。
【００２６】
このように構成された表示制御装置１００において、表示領域制御部１１０は、第１アイコンがアイコン表示領域から第２表示領域にドラッグアンドドロップされたことに対応して、第２地図レイヤに第１情報レイヤを重畳して第２表示領域に表示させる。表示領域制御部１１０は、第１アイコンがアイコン表示領域から第２表示領域にドラッグアンドドロップされた場合、第１表示領域に表示されている第１情報レイヤの表示態様を維持したまま、第２地図レイヤに第１情報レイヤを重畳して第２表示領域に表示させてもよい。
【００２７】
これにより、作業者は、第１地図に重畳されている情報レイヤの情報を、第２地図に重畳して表示したい場合に、改めて第２地図用に表示すべき情報レイヤの表示態様を設定しなくても、第１地図に重畳されている情報レイヤと同じ情報を第２地図に重畳して表示させることができる。ユーザは、情報レイヤに関連づけられたアイコンのドラッグアンドドロップをするだけで済むので、作業が容易になる。
【００２８】
なお、表示領域制御部１１０は、単に第１アイコンがアイコン表示領域から第２表示領域にドラッグアンドドロップされた場合には、第１地図レイヤに重畳されている第１情報レイヤは非表示として、第２地図レイヤのみに第１情報レイヤを重畳させてもよい。一方、表示領域制御部１１０は、例えばキーボードの予め定められたキー、例えばコントロールキーが押されながら、第１アイコンがアイコン表示領域から第２表示領域にドラッグアンドドロップされた場合には、第１地図レイヤに第１情報レイヤを重畳して表示したまま、第２地図レイヤにも同じ第１情報レイヤを重畳して表示してもよい。つまり、表示領域制御部１１０は、情報レイヤの「コピー」または「移動」の指示に応じて、第１地図に重畳されている情報レイヤをそのまま重畳させて表示させるか、その情報レイヤを重畳させずに第１地図を表示させるかを決定してもよい。
【００２９】
図２は、表示部１０２に表示される画像の一例を示す。表示領域制御部１１０は、表示可能領域２００に、第１表示領域２０２および第２表示領域２０４が並べて表示させている。アイコン表示制御部１１２は、第１表示領域２０２および第２表示領域２０４内に、アイコン表示領域２０６および２０８を表示させている。アイコン表示制御部１１２は、第１表示領域２０２および第２表示領域２０４外に、アイコン表示領域２０６および２０８を表示させてもよい。
【００３０】
表示領域制御部１１０は、第１表示領域２０２に、ユーザから電波状況などの情報が提供された地点を示す第１情報２２４を第１情報レイヤとして、基地局の設置場所を示す第２情報２２６を第２情報レイヤとして、およびそれぞれの分割領域の電波状況を示す第３情報２２２を第３情報レイヤとして、第１地図レイヤである第１地図情報２２０に重畳して表示させている。アイコン表示制御部１１２は、アイコン表示領域２０６に、第１情報２２４に関連づけられた第１アイコン２１４，第２情報２２６に関連づけられた第２アイコン２１０、および第３情報２２２に関連づけられた第３アイコン２１２を表示させている。表示領域制御部１１０は、第２表示領域２０４に、第２地図レイヤである第２地図情報２３０を表示させている。このように、電波状況などが重畳された住宅地図または道路地図に並べて衛星地図を表示することで、作業者は、衛星地図を参考にして、例えば電波状況をより改善すべき地点の実際の建物の状況を容易に把握することができる。
【００３１】
図３は、図２に示す画像において、ユーザが、アイコン表示領域２０６からアイコン表示領域２０８へ第３アイコン２１２をドラッグアンドドロップした後に、表示部１０２に表示される画像の一例を示す。このように、表示領域制御部１１０は、第３情報２２２に関連付けられている第３アイコン２１２がアイコン表示領域２０６からアイコン表示領域２０８へ移動した場合に、第１表示領域２０２の第１地図情報２２０に重畳して表示させていた第３情報２２２を第２表示領域２０４の第２地図情報２３０に重畳して表示させる。よって、本実施形態によれば、情報レイヤに関連づけられたアイコンのドラッグアンドドロップだけで、情報レイヤを表示させる表示領域を変更することができる。
【００３２】
また、表示領域制御部１１０は、アイコン表示領域内で第１アイコンと第２アイコンとの表示位置が入れ替えられたことに対応して、第１情報レイヤと第２情報レイヤとの重畳順序を入れ替えて、第１情報レイヤおよび第２情報レイヤを第１表示領域に表示させてもよい。例えば、第１地図の上に、第１情報レイヤ、第２情報レイヤの順に重畳して表示されている場合に、作業者が、第１情報レイヤをより見易くしやすくするために、第１情報レイヤを第２情報レイヤよりも上層に表示させたい場合がある。このような場合、ユーザは、アイコン表示領域内で第１アイコンと第２アイコンとの表示位置を切り替える。ユーザは、例えば、第１アイコンをドラッグして、第２アイコンとの表示位置が入れ替わる位置に第１アイコンをドロップする。これにより、第１情報レイヤと第２情報レイヤとの重畳順序を入れ替えることができる。つまり、情報レイヤに関連づけられたアイコンのドラッグアンドドロップだけで、情報レイヤの重畳順番を入れ替えることができる。
【００３３】
図４は、図２に示す画像において、アイコン表示領域２０６内の第２アイコン２１０と第３アイコン２１２との表示位置を入れ替えた後に、表示部１０２に表示される画像の一例を示す。このように、表示領域制御部１１０は、情報レイヤに関連づけられたアイコンがドラッグアンドドロップされてアイコンの表示位置が入れ替えられたことに対応して、情報レイヤの重畳順番を入れ替えてもよい。図２に示すように、第２情報２２６が第３情報２２２より下層に重畳されていることで、第２情報２２６が見えにくい場合、ユーザは、アイコン表示領域２０６内で、第２アイコン２１０と第３アイコン２１２との表示位置を入れ替えることで、第３情報２２２よりも上層に第２情報２２６を表示させることができる。
【００３４】
また、情報レイヤ生成部１２４は、例えば、電波状況が悪いと感じている地点を分割領域ごとに集計し、集計された数に応じた態様でそれぞれの分割領域を表現する情報レイヤを生成してもよい。情報レイヤ生成部１２４は、数に応じて異なる色で分割領域を表現して情報レイヤを生成してもよい。情報レイヤ生成部１２４は、数に応じて異なる高さの３次元画像でそれぞれの分割領域を表現する情報レイヤを生成してもよい。
【００３５】
図５は、第１表示領域２０２に、ユーザから電波状況などの情報が提供された地点を示す第１情報２２４、および基地局の設置場所を示す第２情報２２６を第１地図情報２２０に重畳して表示させた画像の一例を示す。図６は、情報レイヤ生成部１２４が、図５に示す第１情報２２４をユーザにより指定された分割領域ごとに集計して、表示領域制御部１１０が、集計された数に応じた態様で第１情報２２４を表示させた画像の一例を示す。図６に示すように、第１情報２２４を表示することで、作業者は、どの地点においてより多くの情報がユーザから提供されているかを把握しやすくなる。
【００３６】
図７は、情報レイヤ生成部１２４が、集計された数に応じて異なる高さの３次元画像でそれぞれの分割領域を表現する第１情報２２４を生成し、表示領域制御部１１０が、３次元画像を示す第１情報２２４を第１地図に重畳して表示させた画像の一例を示す。このように、３次元画像により数に応じた高さを表現することでも、どの地点においてより多くの情報がユーザから提供されているかを把握しやすくなる。
【００３７】
図８は、表示可能領域２００の全体に第１表示領域２０２を表示させた場合に、表示される画像の一例を示す。全体表示指示受付部１２８が、表示可能領域２００の全体に第１表示領域２０２を表示させる指示を受け付けたことに対応して、表示領域制御部１１０は、表示可能領域２００の全体に第１表示領域２０２を表示させ、第２表示領域２０４を第１表示領域２０２の上層に表示させる。これにより、第１表示領域２０２を表示可能領域２００の全体に表示させた場合に、第２表示領域２０４が見えなくなることを防止できる。
【００３８】
図９および図１０は、地図上で選択領域が指定されたことに対応して選択領域に含まれる所定の条件を満たす情報のリストを表示した場合の画像の一例を示す。図９に示すように、選択領域受付部１３０は、ユーザから第１地図情報２２０上の選択領域３００の指定を受け付ける。これに応じて、地点抽出部１３２は、例えば、選択領域３００内に設置されている基地局情報を表示情報保持部１０４から抽出する。リスト生成部１３４は、地点抽出部１３２が抽出した基地局情報のリスト２６０を生成する。そして、表示領域制御部１１０は、リスト２６０を第３表示領域２５０に表示させる。また、ユーザがリスト２６０から１つの基地局情報２６２を選択した場合、表示領域制御部１１０は、選択された基地局情報２６２に対応する基地局情報を示す地点を示す矢印２４０などを第１地図情報２２０上に表示してもよい。これにより、リスト２６０の基地局情報２６２に対応する基地局の位置を把握しやすくできる。
【００３９】
図１１は、表示領域制御部１１０が第１表示領域２０２に表示させる第１地図情報２２０および情報２７０の他の画像の一例を示す。ユーザが例えば、第１の地点３１０と第２の地点３１２を指定すると、表示領域制御部１１０は、第１の地点３１０を基準とした第２の地点までの標高の変化を示す情報２７０を表示させてもよい。また、ユーザが第１の地点３１０と第２の地点３１２とを結ぶ線上の地点３１４に指示アイコンを合わせることで、表示領域制御部１１０は、指示アイコンが示す位置に対応する地点３１４の標高を第１地図情報２２０および情報２７０に表示させてもよい。また、例えば、電波が繋がりにくいという情報がユーザから寄せられた第１地点と、第１地点に隣接する基地局が設置された第２地点とを作業者が指定した場合、表示領域制御部１１０は、第１地点と第２地点との間の距離を表示してもよい。これにより、作業者は、電波が繋がりにくいという情報がユーザから寄せられた第１地点と、当該第１地点から近い基地局との距離を容易に把握することができる。
【００４０】
さらに、本実施形態に係る表示制御装置１００が備える各部は、登録および配信に関する各種処理を行うプログラムをインストールし、このプログラムをコンピュータに実行させることで、構成してもよい。つまり、コンピュータに地図と地図の位置に関する情報とを重畳させて表示させる各種処理を行うプログラムを実行させることにより、表示制御装置１００が備える各部としてコンピュータを機能させることで、表示制御装置１００を構成してもよい。
【００４１】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、表示制御装置１００として機能する。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４３】
なお、本実施形態に係る表示制御装置１００は、屋外でも屋内でも使用でき、携帯端末、例えば、携帯電話、多機能携帯電話（スマートフォン）、携帯情報端末（ＰＤＡ）などに適用できることはもちろん、据え置き型の端末、例えば、パーソナルコンピュータにも適用できる。
【００４４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４５】
１００  表示制御装置
１０２  表示部
１０４  表示情報保持部
１１０  表示領域制御部
１１２  アイコン表示制御部
１２０  表示態様変更部
１２２  変更受付部
１２４  情報レイヤ生成部
１２６  分割領域指定部
１２８  全体表示指示受付部
１３０  選択領域受付部
１３２  地点抽出部
１３４  リスト生成部
２００  表示可能領域
２０２  第１表示領域
２０４  第２表示領域
２０６，２０８  アイコン表示領域
２１０  第２アイコン
２１２  第３アイコン
２１４  第１アイコン
２２０  第１地図情報
２２２  第３情報
２２４  第１情報
２２６  第２情報
２３０  第２地図情報
２５０  第３表示領域
２６０  リスト
３００  選択領域
【図１】
0005546604.tif 000002
【図２】
0005546604.tif 000003
【図３】
0005546604.tif 000004
【図４】
0005546604.tif 000005
【図５】
0005546604.tif 000006
【図６】
0005546604.tif 000007
【図８】
0005546604.tif 000008
【図９】
0005546604.tif 000009
【図１０】
0005546604.tif 000010
【図７】
0005546604.tif 000011
【図１１】
0005546604.tif 000012